(57)【要約】【課題】  無線通信カメラシステムにおける省電を改善することを目的とする。【解決手段】  無線通信可能な撮像部と第二の無線通信手段の両方にタイマを有し、撮像部と第二の無線通信手段のタイマを同期する手段を有し、タイマの起動から所定時間Ｔｓｉだけ無線通信手段の電源を遮断し、その後所定時間Ｔｃｉだけ無線通信手段の電源を投入して無線の接続待ちを行う動作を繰り返し、撮像部では、撮影操作を行った後、一時保存されたデータが存在する場合に第二の無線通信手段の無線通信手段の電源が投入されている時間に同期して撮像部の無線通信手段の電源を投入して第二の無線通信手段との無線通信を試み、無線通信手段が確立し場合には撮像部に一時保存されているデータを転送し、データの転送が終了したら両者の無線通信を切断し、無線通信手段の電源も切断する。【選択図】  図１
2006186618.tif 000002
【特許請求の範囲】
【請求項１】
被写体を撮影するための撮像操作を行う操作手段とレンズと撮影された画像を一時保存する保存領域と無線通信手段を具備した撮像部と、第二の無線通信手段を具備した装置が別体または分離接合可能なカメラシステムにおいて、
前記撮像部と第二の無線通信手段の両方にタイマを有し、
前記撮像部と第二の無線通信手段のタイマを同期する手段を有し、
タイマの起動から所定時間Ｔｓｉだけ無線通信手段の電源を遮断し、
その後所定時間Ｔｃｉだけ無線通信手段の電源を投入して無線の接続待ちを行う動作を繰り返し、
撮像部では、撮影操作を行った後、一時保存されたデータが存在する場合に第二の無線通信手段の無線通信手段の電源が投入されている時間に同期して、撮像部の無線通信手段の電源を投入して第二の無線通信手段との無線通信を試み、
無線通信手段が確立した場合には撮像部に一時保存されているデータを転送し、
データの転送が終了したら両者の無線通信を切断し、無線通信手段の電源も切断する
ことを特徴とする無線通信カメラシステム。
【請求項２】
前記第二の無線通信手段を具備した装置が、撮影した画像やファインダ画像を表示する手段と撮影したデータを保存する手段を具備した表示保存部であることを特徴とする請求項１に記載の無線通信カメラシステム。
【請求項３】
前記撮像部と前記第二の無線通信手段が分離接合が可能な無線通信カメラシステムにおいて、両者が接合しているときに電気的に接触する電極を複数有し、両者が分離／接合する瞬間を検出する手段を有し、両者が分離した瞬間に撮像部と第二の無線通信手段の両者のタイマを同時に起動することによりタイマを同期させることを特徴とする請求項１に記載の無線通信カメラシステム。
【請求項４】
前記撮像部と前記第二の無線通信手段の両方のタイマを同期させる手段は電波時計であることを特徴とする請求項１に記載の無線通信カメラシステム。
【請求項５】
前記撮像部と前記第二の無線通信手段の両方のタイマを同期させる手段は、撮像部と第二の無線通信手段の両者にタイマ同期モードを設け、タイマ同期モードで撮像部と第二の無線通信手段の無線通信を確立し、どちらかのタイマにもう片側のタイマをあわせることによることを特徴とする請求項１に記載の無線通信カメラシステム。
【請求項６】
前記撮像部で撮影操作が行われて一時保存されたデータが存在しており、一度第二の無線通信手段の無線通信手段が待ち受けを行っている時間に同期して撮像部の無線通信手段の電源を投入して前記第二の無線通信手段との無線通信の確立を試みたときに無線通信の確立に失敗した場合、一度撮像部の無線通信手段の電源を切断しておき、次の第二の無線通信手段の無線通信手段が待ち受けを行うタイミングで再度撮像部の無線通信手段の電源を投入し、前記撮像部と前記第二の無線通信手段の無線通信の確立を試みることを特徴とする請求項１〜５のいずれか１項に記載の無線通信カメラシステム。
【請求項７】
連続して前記撮像部から前記第二の無線通信手段への無線通信の確立が失敗する回数を数え、前記無線通信の確立が失敗する回数が予め設定された閾値を超えたら、撮像部から第二の無線通信手段への無線通信の確立を試みる頻度を下げることを特徴とする請求項６に記載の無線通信カメラシステム。
【請求項８】
連続して前記撮像部から前記第二の無線通信手段の無線通信の確立が失敗する回数を数え、前記無線通信の確立が失敗する回数が予め設定された閾値ごとに撮像部から第二の無線通信手段に無線通信の確立を試みる期間を長くすることを特徴とする請求項７に記載の無線通信カメラシステム。
【請求項９】
予め設定された閾値ごとに前記撮像部から前記第二の無線通信手段に無線通信の確立を試みる時間が、第二の無線通信手段の電源を遮断している時間Ｔｓｉと待ち受けを行う時間Ｔｃｉを用いて、
（Ｔｃｉ＋Ｔｓｉ）＊ｎ＋Ｔｃｉ：ｎは１以上の整数以上とすることを特徴とする請求項８に記載の無線通信カメラシステム。
【請求項１０】
前記無線通信が確立されて、無線通信を切断する瞬間に撮像部と第二の無線通信手段のタイマを再起動するまたは同期を行うことを特徴とする請求項１〜９のいずれか１項に記載の無線通信カメラシステム。
【請求項１１】
前記撮像部と前記第二の無線通信手段が接合したことを検出したら、撮像部と第二の無線通信手段の電源を遮断することを特徴とする請求項３に記載の無線通信カメラシステム。
【請求項１２】
前記撮像部と前記第二の無線通信手段が接合したことを検出したときに撮像部に一時保存されたデータが存在する場合、撮像部と第二の無線通信手段が電気的に接触した電極を通じて撮像部から第二の無線通信手段にデータを転送することを特徴とする請求項１１に記載の無線通信カメラシステム。
【請求項１３】
前記撮像部と前記第二の無線通信手段が分離された瞬間、および無線通信が確立されていた状態から切断された瞬間を起点に、第二の無線通信手段が無線通信手段の電源を切断している時間が少しづつ長くなり、撮像部が第二の無線通信手段に無線通信の確立を試みるタイミングが連動する手段を有することを特徴とする請求項１に記載の無線通信カメラシステム。
【請求項１４】
前記撮像部および前記第二の無線通信手段の電源を切断した時間Ｔｓｉと無線入力を待つ時間Ｔｃｉをユーザが設定する手段を有することを特徴とする請求項１に記載の無線通信カメラシステム。
【請求項１５】
前記撮像部または前記第二の無線通信手段のどちらかの電源を遮断する時間Ｔｓｉと無線接続を待つ時間Ｔｃｉを設定変更した場合、自動的にもう一方の電源を遮断する時間Ｔｓｉと無線接続を待つ時間Ｔｃｉもそれにあわせて自動的に変更される手段を有することを特徴とする請求項１４に記載の無線通信カメラシステム。
【請求項１６】
前記撮像部と前記第二の無線通信手段の両方のタイマを同期させる手段は、撮像部が画像を転送する設定にされたときに、表示保存部への通信の確立を試み、上記通信の確立を試みる時間は２＊Ｔｃｉ＋Ｔｓｉ以上とし、
上記通信の確立に失敗したら予め設定された時間間隔をおいて、再び２＊Ｔｃｉ＋Ｔｓｉ以上の最大時間で通信の確立を試み、通信の確立に成功したら撮像部と表示保存部と通信を行い、タイマの同期を行うことを特徴とする請求項１に記載の無線通信カメラシステム。
【請求項１７】
前記撮像部から前記表示保存部への無線通信の確立を行うことに連続して失敗する回数があらかじめ設定された閾値を超えたら、次の表示保存部への通信の確立を行う時間を２＊Ｔｃｉ＋Ｔｓｉ以上にすることを特徴とする請求項１０に記載の無線通信カメラシステム。
【発明の詳細な説明】
【技術分野】
【０００１】
本発明は、デジタルカメラと無線通信装置を有するシステムに関するものであり、より詳しくは、分離した撮像部と表示保存部の間で、無線通信によりデータの送受信を行うことができる無線通信カメラシステムに関するものである。
【背景技術】
【０００２】
従来、動画や静止画を撮像して記録する装置であるデジタルカメラやビデオカメラの構成は、通常、画像のキャプチャのためのレンズやCCD、信号処理回路などを含む撮像部と、ファインダとして動画像を表示するための表示部と、撮像データを記録するための記録部がすべて一体化された構造となっている。
【０００３】
撮影されたデータはカメラに内蔵したメモリカードを媒介に他の機器にコピーするなどしてデータの流用を行うことが多いが、この記録されたデータを専用のケーブルで接続して外部機器に転送したり、無線を用いて転送するような方式が提案されている。例えば、特にでは、無線でデータの転送を行わず、撮像部と記録部の無線通信の待機を行うときの省電力化について提案されている（例えば、特許文献１参照。）。
【０００４】
【特許文献１】特開２００３−５１９１２号公報
【発明の開示】
【発明が解決しようとする課題】
【０００５】
しかしながら、撮像部と記録部が一体である従来のデジタルカメラやビデオカメラにおいては、記録部媒体としてはメモリカードやテープが主流で、メモリカードであればカードの容量が少なく、価格が高く、テープであれば容積が大きくなるというデメリットがある。また可搬性を考慮すれば、小さいほうが良いが、一方で、撮影した画像をあいた時間に確認したい場合には、大きな画面が必要となり、どちらかを犠牲にせざえるをえない。また、上記特許文献１に記載の方式では、無線通信待機時での無線通信を行わない時間の長さには限界があり、省電力化にも限界がある。
【０００６】
本発明は、上述した事情を考慮してなされたもので、撮像部と記録部を分離あるいは分離可能とし、撮影されたデータは無線で撮像部から記録部に転送される構成における省電力化を行うことができる無線通信カメラシステムを提供することを目的とする。
【課題を解決するための手段】
【０００７】
この発明は、上述した課題を解決すべくなされたもので、本発明は、被写体を撮影するための撮像操作を行う操作手段とレンズと撮影された画像を一時保存する保存領域と無線通信手段を具備した撮像部と、第二の無線通信手段を具備した装置が別体または分離接合可能なカメラシステムにおいて、前記撮像部と第二の無線通信手段の両方にタイマを有し、前記撮像部と第二の無線通信手段のタイマを同期する手段を有し、タイマの起動から所定時間Ｔｓｉだけ無線通信手段の電源を遮断し、その後所定時間Ｔｃｉだけ無線通信手段の電源を投入して無線の接続待ちを行う動作（待ち受け）を繰り返し、撮像部では、撮影操作を行った後、一時保存されたデータが存在する場合に第二の無線通信手段の無線通信手段の電源が投入されている時間に同期して撮像部の無線通信手段の電源を投入して第二の無線通信手段との無線通信を試み、無線通信手段が確立し場合には撮像部に一時保存されているデータを転送し、データの転送が終了したら両者の無線通信を切断し、無線通信手段の電源も切断することを特徴とする無線通信カメラシステムを提供する。
【発明の効果】
【０００８】
本発明によれば、被写体を撮影する機能をもつ撮像部と、画像を蓄積、表示するための表示保存部が別体または分離可能なカメラシステムにおいて、両者が持つタイマを同期させることができ、タイマが同期しているがゆえに、必要に応じて、間欠的に無線通信を試みることが可能となり、本発明においては両者で無線通信を行わない時間間隔を長くとることが可能となるため、無線通信に対する電力消費を格段に抑えることが可能となる。
また、本発明によれば、無線通信を間欠的に行う間隔をユーザが決定する手段を有することで、ユーザの使い勝手に応じた適切な時間間隔での無線通信を行うことができ、使い手に最適な方法を選ぶことができる。
【発明を実施するための最良の形態】
【０００９】
（第１の実施例）
以下、図１〜図７に基づき、本発明による無線通信カメラシステムの好適な実施例を説明する。
【００１０】
本発明の無線通信カメラは、図１に外観を示した撮像部と図２に外観を示した表示保存部から構成される。
【００１１】
図１（ａ）に撮像部を前方から見た図、図１（ｂ）に背面から見た図を示す。撮像部は筐体１０１、電源ボタン１０２、シャッターボタン１０３、レンズ１０４、光学ファインダ１０５、ストロボ１０６、無線通信用アンテナ１０７、ズームボタン１０８、操作ボタン１０９、液晶表示手段１１０、モード設定ダイアル１１１が実装されている。電源が投入されていないときには、レンズ１０４は撮像部の筐体１０１に格納されており、電源が投入されると、撮影が可能となるようにレンズが前方にせり出す。
【００１２】
一方、図２に示した表示保存部は筐体２０１、電源ボタン２０２、無線通信用アンテナ２０３、液晶表示装置２０４、シャッターボタン２０５、ズームボタン２０６、２０７、操作ボタン２０７，２０８、外部メモリスロット２０９、モード設定ダイアル２１０が実装されている。
【００１３】
次に撮像部１０１、表示保存部２０１の内部構成について図３に示す。
【００１４】
図３（ａ）は撮像部１０１の内部構成である。
撮像部１０１は全体の動作の制御や演算を行うＣＰＵ３０１，プログラムやアイコンのような画像を記録した不揮発性メモリ（ＲＯＭ）３０２、作業内容等を一時保存するランダムアクセスメモリ（ＲＡＭ）３０３、ユーザによる操作を行うためのボタン（ＫＥＹ）３０４、リアルタイムクロックを含む、時間を計測するためのタイマ３０５、操作画面を表示したり、ファインダや保存画像を表示するための表示手段３０６、レンズ３０８を通った光を電気信号に変換するための光電変換手段３０７、撮影した静止画や動画を圧縮する画像圧縮手段３０９、圧縮された画像を一時的に保存する画像一時保存手段３１０、画像や制御データの通信を表示保存部と行うための無線通信手段３１１、これらの電気信号を伝達するためのバス３１２により構成される。表示手段３０６は、実装体積を小さくするために液晶表示装置により構成し、光電変換手段３０７はＣＣＤにより実装する。
【００１５】
また、画像一時保存手段３１０はフラッシュＲＯＭのような不揮発性メモリで構成しても良いし、ＲＡＭのような揮発性メモリで構成しても良い。
【００１６】
図３（ｂ）は表示保存部２０１の内部構成である。
表示保存部２０１は全体の動作の制御や演算を行うＣＰＵ３２１，プログラムやアイコンのような画像を記録した不揮発性メモリ（ＲＯＭ）３２２、作業内容等を一時保存するランダムアクセスメモリ（ＲＡＭ）３２３、ユーザによる操作を行うためのボタン（ＫＥＹ）３２４、リアルタイムクロックを含む、時間を計測するためのタイマ３２５、操作画面を表示したり、ファインダや保存画像を表示するための表示手段３２６、表示手段の上をペンで接触することにより、電気信号を生じさせ，ユーザの操作手段とするために、表示手段３２５の表面に貼られたデジタイザ３２７、静止画や動画のような保存画像の保存先とするための外部メモリ３２８、静止画および動画を圧縮伸張する画像圧縮伸張手段３２９、画像や制御データの通信を撮像部と行うための無線通信手段３３０、これらの電気信号を伝達するためのバス３３１により構成される。
【００１７】
表示手段３２６は、実装体積を小さくするために液晶表示装置により構成し、外部メモリ３２８はＣＦカードやＳＤカードのような固体不揮発性メモリ、またはハードディスクのように保存容量の大きなメモリ媒体であることが望ましい。また、無線通信手段３１１、３３０は、撮像部１０１と表示保存部１０２が互いに通信でき、通信に必要なバンド幅を十分に満たした方式であれば何でも良いが、例えばＩＥＥＥ８０２．１１である。
【００１８】
図４に撮像部のモード設定ダイアル（ａ）と表示保存部のモード設定ダイアル（ｂ）を示す。上記モード設定ダイアルは、矢印４００方向に回転し、ダイアル左横の線（４０２、４１２）にあったアイコンに相当するモードが現在のモードである。
【００１９】
例えば、図４（ａ）の撮像部のモード設定ダイアル４０１であれば、撮影したデータを画像一時保存手段３１０に蓄積するだけで無線通信によるデータ転送を行わないスタンドアロン撮影モード（４０３）、撮影したデータを必要に応じて表示保存部に転送する画像転送撮影モード（４０４）、表示保存部とのタイマの同期を行うためのタイマ同期モード（４０５）から成り、図４（ｂ）の表示保存部のモード設定ダイアル４１１であれば、無線通信は行わずに表示保存部単独で動作させるスタンドアロン操作モード（４１３）、表示保存部の操作はユーザが行わずに無線通信だけを許可する画像転送待ち受けモード(４１４)、撮像部のタイマと同期をとるためのタイマ同期モード（４１５）、表示保存部の操作を行い、同時に撮像部から無線通信によるデータ転送の待ち受けを行う、待ち受け操作モード(４１６）から成り、図４で設定されているモードは、撮像部は、スタンドアロン撮影モード（４０３）、表示保存部はスタンドアロン操作モード（４１３）である。
ここで、既に撮像部と表示保存部それぞれが、ＩＥＥＥ８０２．１１での通信を行うためのＳＳＩＤやＩＰアドレス、ネットマスク、ＷＥＰ暗号化ビット長のような設定が正しく行われているとして、撮像部のモード設定ダイアル４０１と表示保存部のモード設定ダイアル４０２をタイマ同期モード４０５、４１５に設定すると、図５の流れ図のように動作する。
【００２０】
図５（ａ）に撮像部のタイマ同期モードの動作を、図５（ｂ）に表示保存部のタイマ同期モードの動作を示す。
【００２１】
まず、撮像部ではステップｓ５０１において無線通信を行うために今までは供給されていなかった無線通信手段３１０に電源を供給し、表示保存部から無線接続されるための待ち受けを行う（ステップｓ５０２）。表示保存部でも同様に無線通信を行うために無線通手段３２９に電源を供給し、撮像部と無線接続を行う（ステップｓ５１１）。無線接続が完了すると、撮像部、表示保存部はそれぞれステップｓ５０３、ステップｓ５１３に進み、撮像部から無線通信を通じて表示保存部に対して現在時刻とともに時計設定要求を行う（ステップｓ５０３）。表示保存部ではステップｓ５１３においてこの時計設定要求をうけて表示保存部の内部時計を設定し、時計設定終了通知を撮像部に対して行うと同時に表示手段３２５にタイマ同期が終了した旨の通知を表示手段３０６に表示するか、図示はしていない音声出力手段で音を鳴らすなど、ユーザへの通知を行い（ステップｓ５１４）、ステップｓ５１５において無線接続を切断し、タイマ同期モードの動作を終了する。
【００２２】
また、撮像部においてはステップｓ５０４において時計設定終了を終了し、タイマ同期が終了した旨の通知をステップｓ５０５において行い、ステップｓ５０６において無線接続を終了し、タイマ同期モードを終了する。
【００２３】
表示保存部の時刻を無線通信を通じて表示保存部でうけとった時点で、タイムラグが生じているが、無線通信がある程度高速であれば、本発明においてはタイマの同期精度はあまり高くなくてもよく、タイムラグは無視できる。
【００２４】
しかし、厳密を要求されるシステムであれば、一度、通信を行って通信に要するタイムラグを計測したうえで、タイムラグを加味したタイマ設定を行っても良い。
【００２５】
また、ステップｓ５０２、ｓ５０４、ｓ５１２、ｓ５１３において、条件が整う迄、待つ処理を行っているが、ここでタイムアウトを設定して、タイムアウト時間を経過しても条件が整わない場合は、同期を失敗させて終了させても良い。
【００２６】
次に、撮像部と表示保存部のタイマが同期していると仮定して、撮像部で画像の撮影を行って、分離された表示保存部に撮影された画像を転送する動作について説明する。
まずは上記画像を転送する動作を行う迄のブロック図を図６に示す。
【００２７】
図６（ａ）は撮像部のブロック図であり、図６（ｂ）は表示保存部のブロック図である。まず、表示保存部について先に説明する。
表示保存部では、画像転送待ち受けモードまたは待ち受け操作モードの場合、タイマｓ６１１において、撮像部との通信が確立していないときには無線通信停止時間Ｔｓｉと無線通信待ち受け時間Ｔｃｉを交互にカウントし、無線通信待ち受け時間Ｔｃｉの間は、無線通信手段ｓ６１２に電源を投入し、撮像部との無線通信の待ち受けを行う。無線通信停止時間に入ると、無線通信手段ｓ６１２の電源を遮断し、電力消費を抑える。
【００２８】
無線通信待ち受け時間Ｔｃｉ内に撮像部から無線接続要求が来たら、接続を行い、撮像部からの命令に従った動作を行う。特に、撮像部から画像転送命令が来たら、転送された画像データを画像記憶手段ｓ６１３に転送して、蓄積する。
【００２９】
一方、撮像部では、レンズｓ６０１を通った光がＣＣＤのような光電変換手段ｓ６０２によって電気信号に変換される。キャプチャされていないときには光電変換された電気信号を表示手段ｓ６０３に転送し、ファインダ画像として、表示を行う。次にシャッタボタンを押すような操作を行うと操作手段ｓ６０４により、イベントが発生し、光電変換手段ｓ６０２により変換された電気信号が画像圧縮手段ｓ６０５に転送され、ＪＰＥＧなどのキャプチャされた圧縮画像を生成し、画像一時記憶手段ｓ６０６に蓄積する。一方、タイマｓ６０７は定期的に画像一時記憶手段ｓ６０６に蓄積された画像がないか確認し、もし、蓄積された画像があれば、上記表示保存部での無線通信待ち受け時間Ｔｃｉになる時間に同期して、無線通信手段ｓ６０８に電源を投入し、表示保存部との無線通信を確立させ、画像一時記憶手段ｓ６０６に保存してある画像データを無線を通じて表示保存部に転送し、転送したデータは画像一時記憶手段ｓ６０６から消去する。
【００３０】
次に、図７を用いて撮像部と表示保存部のタイマ動作による無線通信の状態を時間の遷移を追って説明する。
【００３１】
まず、撮像部と表示保存部のモード設定ダイアルをタイマ同期モードにすると、それぞれの無線通信手段に電源を投入し、表示保存部は撮像部からの通信の要求を待ち受け、撮像部は、表示保存部との通信を確立しようとし、時間ｔ１で通信が確立する。次に図５に示した流れにより、時間ｔ２で表示保存部と撮像部のタイマが同期し、時間ｔ３で両者の無線通信手段の電源を遮断する。
【００３２】
次に時間ｔ４において、表示保存部のモード設定ダイアルを画像転送待ち受けモード４１４または、待ち受け操作モード４１６にすると、タイマ同期時ｔ２から予め決定されている無線通信停止時間Ｔｓｉと無線通信待ち受け時間Ｔｃｉを交互に繰り返した（Ｔｓｉ＋Ｔｃｉ）＊ｎ＋Ｔｓｉとなる時間ｔ５で、無線通信手段ｓ６１２の電源を投入し、撮像部からの無線接続を待つ。時間ｔ５から無線通信待ち受け時間Ｔｃｉが過ぎると、表示保存部の無線通信手段ｓ６１２の電源を遮断する。以後、表示保存部のモード設定ダイアルが画像転送待ち受けモード４１４または待ち受け操作モード４１６である間は、時間Ｔｓｉ、Ｔｃｉごとに無線通信手段の待ち受けＯｎ／Ｏｆｆを繰り返す。
【００３３】
次に、撮像部のモード設定ダイアルが画像転送撮影モード４０４であるときに、時間ｔ８で静止画をキャプチャすると、キャプチャされたデータが画像一時記憶手段ｓ６０６に存在するため、次に表示保存部の無線通信手段ｓ６１２が撮像部からの接続待ち受けになるタイミングで撮像部の無線通信手段ｓ６０８の電源を投入し、表示保存部と無線接続を行い、画像一時記憶手段に保存されている画像データを撮像部から表示保存部に転送し、最後に再び図５と同様の方法で再度タイマを同期し、撮像部と表示保存部の無線通信を遮断する（時間ｔ１０）。
【００３４】
以後、タイマの同期が行われた時点から無線通信停止時間Ｔｓｉ、無線待ち受け時間Ｔｃｉを交互に繰り返す動作を繰り返す。
【００３５】
同様に、時間ｔ１２において静止画をキャプチャしたとし、次の表示保存部の無線通信手段ｓ６１２が通信待ち受けとなるタイミング（時間ｔ１３）で撮像部から表示保存部への無線接続に失敗した場合、更に次の表示保存部の無線通信手段ｓ６１２が通信待ち受けとなるタイミング（時間ｔ１４）で無線通信の確立を試み、無線通信の確立に成功したら、画像を転送する。
【００３６】
本実施例については、撮像部の持つタイマを表示保存部で同期させる方法について説明したが、逆に表示保存部の持つタイマを撮像部のタイマに同期させても良い。
【００３７】
また、撮像部から表示保存部に無線通信接続を試みる時間間隔は、表示保存部の無線待ち受け時間と一致しなくても良く、むしろ、表示保存部の無線待ち受け時間であるタイミング内に無線通信接続を試みるように実装されていれば良い。
【００３８】
また、本実施例においては撮像部と表示保存部のタイマを同期させるために特殊なモードを用いて設定したが、電波時計機構を具備し、この電波時計に撮像部と表示保存部のタイマが連動しても良い。
【００３９】
また、無線通信停止時間Ｔｓｉや無線待ち受け時間Ｔｃｉについては、ユーザの使い方によって、最適な値が異なるため、ユーザが設定できるようなユーザインターフェースを用いて自由に設定できる構成としても良い。
【００４０】
更に本発明では簡単のために、静止画をキャプチャする例について説明したが、動画の撮影についても同様で、動画の撮影が完全に終了したうえで転送しても良いし、動画の撮影中に、画像一時保存手段に蓄積されているデータの転送を繰り返しても良い。
【００４１】
以上述べてきたように、表示保存部では無線通信停止時間Ｔｓｉと無線待ち受け時間Ｔｃｉを交互に繰り返し、無線接続を待ち受けするタイミングに同期して撮像部からのデータ転送を行うことができる機構を設けることで、無線通信手段による電力消費を大幅に抑えることができる。
【００４２】
特に、本実施例で述べたようなシステムにおける無線通信に消費される電力は大きく、撮像部である程度データが蓄積でき、画像を表示保存部に転送するタイムラグがある程度許されるユースケースにおいては、本実施例で述べた消費電力を抑える方法は非常に有用である。
【００４３】
あるいは、消費電力が抑えられるがゆえに撮像部、表示保存部に搭載すべき電池も小型軽量化することが可能となる。
【００４４】
本実施例においては、撮像部の画像一時記憶手段ｓ６０６の容量が大きいか、連続して撮影する可能性が低ければ、例えば無線通信停止時間Ｔｓｉを１０分、無線待ち受け時間Ｔｃｉを５秒程度にすることができ、無線通信の待ち受けに消費する電力がほとんどかからないように運用することが可能である。
【００４５】
（第２の実施例）
以下、図８〜図１０に基づき、本発明による無線通信カメラシステムの好適な第二実施例を説明する。
【００４６】
本実施例での撮像部と表示保存部の形態は、第１の実施例と比較して、図示はしないが、撮像部と表示保存部が着脱可能である点が異なる。
【００４７】
図８に、本実施例における撮像部と表示保存部の内部構成を図８（ａ）、（ｂ）にそれぞれ示す。
【００４８】
第一の実施例である図３と比較して、内部構成としては、撮像部、表示保存部それぞれ、着脱検出手段（８１２，８３１）、有線通信手段（８１３，８３２）が追加されている。
【００４９】
撮像部と表示保存部の接合時は、撮像部の有線通信手段８１３と表示保存部の有線通信手段８３２の電極が電気的に接合しており、この電極を通じてデータの通信を行う。
【００５０】
また、着脱検出手段も撮像部、表示保存部それぞれに具備されており、単純な押しボタン式のスイッチや、光センサ、あるいは電極がショートされているかオープンかを判別する回路で実装しても良い。
【００５１】
また、撮像部、表示保存部は回路全体が動作する電池とは別に、バックアップ電池を有しており、それぞれのタイマと着脱検出手段は、主電源がＯｆｆの状態でもバックアップ電池を用いて、動作する。
【００５２】
また、撮像部、表示保存部のモード設定ダイアルを図９（ａ），（ｂ）にそれぞれ示す。第一の実施例に比べると、タイマ同期モードがない点が異なり、以下のモードがある。
９０３：スタンドアロン撮影モード
９０４：画像転送撮影モード
９１３：スタンドアロン操作モード
９１４：画像転送待ち受けモード
９１５：待ち受け操作モード
【００５３】
このような構成において、撮像部と表示保存部を分離して撮像部を用いて撮影を行い、撮影したデータを表示保存部に無線通信を用いて転送、保存する動作について図１０を用いて説明する。
【００５４】
撮像部と表示保存部が接合された状態から分離すると、撮像部の着脱検出手段８１２と表示保存部の着脱検出手段８３１がお互いが分離されたことを検出し、それぞれのタイマをリセットする（時間ｔ１）。ここから表示保存部の主電源を投入し、表示保存部のモード設定ダイアル９１１を画像転送待ち受けモード９１４か待ち受け操作モード９１５に設定すると（時間ｔ２）、撮像部と表示保存部を分離した瞬間ｔ１から予め決定されている無線通信停止時間Ｔｓｉと無線通信待ち受け時間Ｔｃｉを交互に繰り返した（Ｔｓｉ＋Ｔｃｉ）＊ｎ＋Ｔｓｉとなる時間ｔ３で、無線通信手段ｓ６１２の電源を投入し、撮像部からの無線接続を待つ。
【００５５】
これ以降、撮像部において撮影を行い、無線通信によりデータを撮像部から表示保存部に転送する動作については、第一の実施例において説明した通りとなる。
【００５６】
ただし、画像一時保存手段にデータが転送されずに残っているときに、再び撮像部と表示保存部を接合したことを検出したら、有線通信手段（８１３，８３２）を用いて，撮像部から表示保存部に画像データを転送し、画像一時保存手段の画像データを消去する。
また、同時に無線接続を切断する。
【００５７】
以上により、分離接合可能な撮像部と表示保存部から成る無線通信カメラシステムにおいては、分離時に撮像部と表示保存部のタイマをリセット、同期することができ、第一の実施例で述べたようなタイマの同期をわざわざ行うような操作は必要がなくなり、ユーザの操作が簡単になる。
【００５８】
（第３の実施例）
以下、図１１に基づき、本発明による無線通信カメラシステムの好適な第三実施例を説明する。
【００５９】
本実施例の機器構成においては撮像部と表示保存部が第一の実施例のように分離された構成でも、第二の実施例のように分離接合可能な構成でも良い。
【００６０】
本実施例においては、撮像部から表示保存部に転送するデータが存在しており、撮像部から表示保存部への無線通信の確立に失敗しつづけるときに、無駄な電力消費を抑える方法について述べる。
【００６１】
撮像部から表示保存部への無線通信の確立に連続して失敗する回数を数えておき、無線通信の確立に連続失敗する回数が予め決められている閾値を超えると、表示保存部が無線接続を待ち受けにするタイミングに対して撮像部から無線通信の確立を試みる頻度を落とす。
【００６２】
図１１では時間ｔ１〜ｔ７迄無線通信の確立に失敗したため、時間ｔ７以降は表示保存部が無線接続を行うタイミングの２回に１回無線接続を試みている例である。すなわち、時間ｔ９、ｔ１１で無線接続を試み、ｔ８、ｔ１０では無線接続を省いている。
【００６３】
このように、連続して無線接続に失敗する場合は、無線通信接続を行うための設定が間違っているか、撮像部と表示保存部の距離が離れている等の理由により、無線通信に障害があるとあるとみなし、できるだけ消費電力を落としならがも長期的に接続を試みるように動作させることができる。また、このとき無線の確立に失敗する旨の表示をユーザにわかるように行っても良い。
【００６４】
（第４の実施例）
以下、図１２に基づき、本発明による無線通信カメラシステムの好適な第四実施例を説明する。
【００６５】
本実施例の機器構成においても、第三実施例と同様、撮像部と表示保存部が第一の実施例のように分離された構成でも、第二の実施例のように分離接合可能な構成でも良い。
【００６６】
本実施例では、撮像部と表示保存部のタイマ（時刻）が同期しているという前提で、通信を確立するタイミングについて説明する。第一実施例および第二実施例においては、無線通信停止時間Ｔｓｉは一定であったが、本実施例では無線通信停止時間は変動する。
【００６７】
図１２の時間ｔ４において、タイマが同期したとする。このタイマが同期した時間ｔ４から次の表示保存部の無線通信手段が通信待ち受けになるまでの時間ｔ５迄の間隔を無線通信停止時間Ｔｓｉの初期値Ｔｓ０とする。時間ｔ５の次に無線通信待ち受けを停止する時間をｔ６として、時間ｔ６から次の通信待ち受けになるまでの時間ｔ７迄の間隔は、初期値Ｔｓ０にオフセット値ｄを足して、Ｔｓ０＋ｄとなる。以後、無線通信停止時間ＴｓｉはＴｓ０＋２ｄ，Ｔｓ０＋３ｄという具合にオフセット値ｄが加算されていき、徐々に無線通信停止時間Ｔｓｉは大きくなる。
【００６８】
撮像部もタイマ同期時からの時間を計数し、無線通信停止時間Ｔｓｉの初期値Ｔｓ０，オフセット値ｄ、無線通信停止時間が加算されるルールを表示保存部と共通に持つことにより、データ通信時のタイミングを表示保存部の無線通信待ち受けとなるタイミングとすることにより、データを通信することができる。
【００６９】
すなわち、図１２であれば、撮像部は時間ｔ１３で静止画をキャプチャしたとして、時間ｔ１４となるタイミングで、無線通信の確立を行う。
【００７０】
データの転送が終了したら、再び撮像部と表示保存部のタイマを同期し、無線通信を切断し、次の無線通信停止時間は、再び初期値Ｔｓ０とする。無線通信停止時間Ｔｓｉは、最大値を設けて、無限に無線通信停止時間が長くなることを制限しても良い。また、本実施例では一定してオフセット値ｄづつ無線通信停止時間が長くなる例で説明したが、段階的に増えても良い。
【００７１】
撮像部による撮影は、一度キャプチャすると、続いてキャプチャする可能性が高く、それゆえに、一度キャプチャした付近の時間で、撮像部の画像一時保存手段が使われる可能性が高いため、キャプチャした付近の時間で、キャプチャした画像を表示保存部に転送して、画像一時画像一時保存手段の使用量を減らす機会を多くもたせ、一方で、撮影間隔があく場合には、表示保存部での無線通信手段の電力供給が抑えられる効果がある。
【００７２】
また、撮像部と表示保存部の距離がある等の理由により、無線通信が確立されにくい状況においても、頻繁な無線通信手段の電力供給が抑えられ、撮像部、表示保存部ともに消費電力を少なく抑えることができる効果がある。
【００７３】
（第５の実施例）
以下、図１３に基づき、本発明による無線通信カメラシステムの好適な第五実施例を説明する。
【００７４】
本実施例の機器構成においても、第三実施例と同様、撮像部と表示保存部が第一の実施例のように分離された構成でも、第二の実施例のように分離接合可能な構成でも良い。本実施例では、第二の実施例で述べた以外の方法で撮像部と表示保存部のタイマ（時刻）の同期を自動的にとる方法について述べる。
【００７５】
時間ｔ１において、表示保存部において、モード設定ダイアルは画像転送待ち受けモードまたは待ち受け操作モードに設定されたときに、表示保存部は無線通信停止時間Ｔｓｉの時間間隔で無線通信を停止し、無線通信待ち受け時間Ｔｃｉの時間間隔で無線通信の待ち受けを行う動作を繰り返す。この間の任意の時間ｔ２に撮像部のモード設定ダイアルが画像転送撮影モードに設定されると、時間ｔ２から最大２＊Ｔｃｉ＋Ｔｓｉの時間間隔だけ、表示保存部との通信の確立を試みる。これに失敗したら、予め決定された時間Ｔｑｉ後（時間ｔ７）に再び最大２＊Ｔｃｉ＋Ｔｓｉの時間間隔で表示保存部との無線通信の確立を試みる。図１３では時間ｔ７と時間ｔ８の間で無線通信の確立が成功し、無線通信が確立したら即座に図５に示した方法と同様に撮像部と表示保存部のタイマを同期させ、無線通信を切断する（時間ｔ８）。
【００７６】
タイマが同期した後は、第一実施例から第四実施例と同様にキャプチャが行われた後に無線通信の同期をとりながら画像転送を行う。
【００７７】
本実施例については、先に表示保存部で画像転送待ち受けモードまたは待ち受け操作モードで実行されている間に撮像部でキャプチャする例を示したが、撮像部でキャプチャした後に、表示保存部で画像転送待ち受けモードまたは待ち受け操作モードになっても同様の動作により、撮像部でキャプチャした画像を表示保存部に転送することが可能である。
【００７８】
以上述べた方法により、自動的に撮像部と表示保存部のタイマの同期をとることができ、特に第二の実施例が適用できない分離接合が不可能なあらかじめ別体で構成される撮像部と表示保存部から成る無線通信カメラシステムにおいて、有用である。
【００７９】
（第６の実施例）
以下、図１４に基づき、本発明による無線通信カメラシステムの好適な第六実施例を説明する。
【００８０】
本実施例の機器構成においても、第三実施例と同様、撮像部と表示保存部が第一の実施例のように分離された構成でも、第二の実施例のように分離接合可能な構成でも良い。
本実施例では、撮像部と表示保存部のタイマ（時刻）が同期がずれたという前提で、通信を確立するタイミングについて説明する。
【００８１】
撮像部のモード設定ダイアルは画像転送撮影モード、表示保存部のモード設定ダイアルは画像転送待ち受けモードまたは待ち受け操作モードであるとして、時間ｔ１で静止画のキャプチャを行ったとき、撮像部と表示保存部のタイマが同期していないときには、図１３の時間ｔ２、ｔ３のように撮像部と表示保存部で無線通信を行うタイミングがかみあわず、通信の確立に失敗してしまう。
【００８２】
撮像部では予め決められた回数連続して無線接続の確立に失敗したら、表示保存部の無線通信停止時間Ｔｓｉと無線通信待ち受け時間Ｔｃｉを用いて無線通信の確立を試みる時間を２Ｔｃｉ＋Ｔｓｉとする。図１４においては、時間ｔ７から最大２Ｔｃｉ＋Ｔｓｉとして無線接続を試み、この範囲内の時間ｔ８において、表示保存部と通信が確立したら、撮像部から表示保存部に画像を転送し、画像の転送が終了した時点（時間ｔ９）で、撮像部と表示保存部のタイマの同期をとって、無線接続を終了する。以後は、時間ｔ１０で静止画をキャプチャした後は、同期して無線通信が確立できるようになる。
【００８３】
以上述べた方法により、たとえ撮像部と表示保存部のタイマの同期がずれても、再びタイマの同期を確立し、撮像部から表示保存部への画像転送が可能となる。
また、この方法を使えば第一の実施例で示したような、撮像部と表示保存部の特殊な同期操作を行わなくても、一番初めの画像転送時に同時に撮像部と表示保存部のタイマの同期が行える。
【００８４】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００８５】
【図１】本発明の実施例における無線通信カメラシステムの撮像部の外観を表す図である。
【図２】本発明の実施例における無線通信カメラシステムの表示保存部の外観を表す図である。
【図３】本発明の第一実施例における撮像部と表示保存部の内部構成を表す図である。
【図４】本発明の第一実施例における撮像部と表示保存部のモード設定ダイアルを表す図である。
【図５】本発明の第一実施例における撮像部と表示保存部のタイマの同期の流れを表す図である。
【図６】本発明の第一実施例における撮像部と表示保存部の構成を表すブロック図である。
【図７】本発明の第一実施例における撮像部と表示保存部の無線通信のタイミングを表す図である。
【図８】本発明の第二実施例における撮像部と表示保存部の内部構成を表す図である。
【図９】本発明の第二実施例における撮像部と表示保存部のモード設定ダイアルを表す図である。
【図１０】本発明の第二実施例における撮像部と表示保存部の無線通信のタイミングを表す図である。
【図１１】本発明の第三実施例における撮像部と表示保存部の無線通信のタイミングを表す図である。
【図１２】本発明の第四実施例における撮像部と表示保存部の無線通信のタイミングを表す図である。
【図１３】本発明の第五実施例における撮像部と表示保存部の無線通信のタイミングを表す図である。
【図１４】本発明の第六実施例における撮像部と表示保存部の無線通信のタイミングを表す図である。
【符号の説明】
【００８６】
１０１  撮像部筐体
２０１  表示保存部
１０４  レンズ
２０４  液晶表示装置
１０２，２０２  電源ボタン
１０３，２０５  シャッターボタン
１１１，２１０  モード設定ダイアル
１０７，２０８  アンテナ
４０１，９０１  撮像部のモード設定ダイアル
４１１，９１１  表示保存部のモード設定ダイアル
【図１】
2006186618.tif 000003
【図２】
2006186618.tif 000004
【図３】
2006186618.tif 000005
【図４】
2006186618.tif 000006
【図５】
2006186618.tif 000007
【図６】
2006186618.tif 000008
【図７】
2006186618.tif 000009
【図８】
2006186618.tif 000010
【図９】
2006186618.tif 000011
【図１０】
2006186618.tif 000012
【図１１】
2006186618.tif 000013
【図１２】
2006186618.tif 000014
【図１３】
2006186618.tif 000015
【図１４】
2006186618.tif 000016